【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
文書データに対して製本設定を行う情報処理装置であって、
製本印刷を行うための製本設定と、製本の表紙に印刷を行うこと示す表紙印刷設定を設定する設定手段と、
前記設定手段で製本設定と表紙印刷設定が設定されている場合に、複数ページの文書データから表紙に面付けすべきページ数を判定する表紙ページ判定手段と、
前記表紙ページ判定手段により判定されるページ数の文書データに基づいて、表紙への面付け処理を行う表紙面付け処理手段と、
前記表紙面付け処理手段で表紙に面付けされていない残りのページ数の文書データに基づいて、本文用紙への面付け処理を行う製本面付け処理手段とを備え、
前記製本面付け処理手段は、前記設定手段により表紙印刷設定が設定されていない場合に、すべてのページの文書データに基づいて、前記本文用紙への面付け処理を行うことを特徴とする情報処理装置。
【請求項２】
印刷データの総ページ数がｎページ以上かを判定する第１の判定処理手段と、
前記第１の判定処理手段で印刷データの総ページ数がｎページ以上と判定された場合には表紙への第１の面付け処理を行う第１の面付け処理手段と、
前記第１の面付け処理手段の処理後、残りのページでの製本面付け処理を行う製本面付け処理手段と、
前記第１の判定処理手段で印刷データの総ページ数がｎページ未満と判定された場合にはｎページ未満の表紙への第２の面付け処理を行う第２の面付け処理手段と、
を備えることを特徴とする請求項１に記載の情報処理装置。
【請求項３】
表紙のどの部分に印刷を行うかの判定を行う第２の判定処理手段を更に備えることを特徴とする請求項２に記載の情報処理装置。
【請求項４】
前記表紙面付け処理手段は、１、２ページを表紙の表、裏に面付けする処理手段と、
最終ページ、最終ページ−１を裏表紙の表、裏にそれぞれ面付けする処理手段と
を更に備えることを特徴とする請求項１に記載の情報処理装置。
【請求項５】
前記表紙のどの部分に印刷を行うかの第２の判定処理手段は
前記表紙の表に印刷するかを判定する第３の判定処理手段と、
前記表紙の裏に印刷するかを判定する第４の判定処理手段と、
前記裏表紙の表に印刷するかを判定する第５の判定処理手段と、
前記裏表紙の裏に印刷するかを判定する第６の判定処理手段と、
を更に備えることを特徴とする請求項３に記載の情報処理装置。
【請求項６】
文書データに対して製本設定を行うための情報処理方法であって、
製本印刷を行うための製本設定と、製本の表紙に印刷を行うこと示す表紙印刷設定を設定する設定工程と、
前記設定工程で製本設定と表紙印刷設定が設定されている場合に、複数ページの文書データから表紙に面付けすべきページ数を判定する表紙ページ判定工程と、
前記表紙ページ判定工程により判定されるページ数の文書データに基づいて、表紙への面付け処理を行う表紙面付け処理工程と、
前記表紙面付け処理工程で表紙に面付けされていない残りのページ数の文書データに基づいて、本文用紙への面付け処理を行う製本面付け処理工程とを備え、
前記製本面付け処理工程は、前記設定工程により表紙印刷設定が設定されていない場合に、すべてのページの文書データに基づいて、前記本文用紙への面付け処理を行うことを特徴とする情報処理方法。
【請求項７】
印刷データの総ページ数がｎページ以上かを判定する第１の判定処理工程と、
前記第１の判定処理工程で印刷データの総ページ数がｎページ以上と判定された場合には表紙への第１の面付け処理を行う第１の面付け処理工程と、
前記第１の面付け処理の後、残りのページでの製本面付け処理を行う製本面付け処理工程と、
前記第１の判定処理工程で印刷データの総ページ数がｎページ未満と判定された場合にはｎページ未満の表紙への第２の面付け処理を行う第２の面付け処理工程と、
を備えることを特徴とする請求項６に記載の情報処理方法。
【請求項８】
表紙のどの部分に印刷を行うかの判定を行う第２の判定処理工程を更に備えることを特徴とする請求項７に記載の情報処理方法。
【請求項９】
前記表紙面付け処理工程は、１、２ページを表紙の表、裏にそれぞれ面付けする処理工程と、
最終ページと、最終ページ−１を裏表紙の表、裏にそれぞれ面付けする処理工程と
を更に備えることを特徴とする請求項６に記載の情報処理方法。
【請求項１０】
前記の表紙のどの部分に印刷を行うかの第２の判定処理工程は、
前記表紙の表に印刷するかを判定する第３の判定処理工程と、
前記表紙の裏に印刷するかを判定する第４の判定処理工程と、
前記裏表紙の表に印刷するかを判定する第５の判定処理工程と、
前記裏表紙の裏に印刷するかを判定する第６の判定処理工程と
を更に備えることを特徴とする請求項８に記載の情報処理方法。
【請求項１１】
文書データに対して製本設定を行うための情報処理方法をコンピュータに実行させるプログラムモジュールを格納したコンピュータ可読の記憶媒体であって、該プログラムモジュールは、
製本印刷を行うための製本設定と、製本の表紙に印刷を行うこと示す表紙印刷設定を設定する設定モジュールと、
前記設定モジュールで製本設定と表紙印刷設定が設定されている場合に、複数ページの文書データから表紙に面付けすべきページ数を判定する表紙ページ判定モジュールと、
前記表紙ページ判定モジュールにより判定されるページ数の文書データに基づいて、表紙への面付け処理を行う表紙面付け処理モジュールと、
前記表紙面付け処理モジュールで表紙に面付けされていない残りのページ数の文書データに基づいて、本文用紙への面付け処理を行う製本面付け処理モジュールとを備え、
前記製本面付け処理モジュールは、前記設定モジュールにより表紙印刷設定が設定されていない場合に、すべてのページの文書データに基づいて、前記本文用紙への面付け処理を行うことを特徴とする記憶媒体。
【請求項１２】
印刷データの総ページ数がｎページ以上かを判定する第１の判定処理モジュールと、
前記第１の判定処理モジュールで印刷データの総ページ数がｎページ以上と判定された場合には表紙への第１の面付け処理を行う第１の面付け処理モジュールと、
前記第１の面付け処理の後、残りのページでの製本面付け処理を行う製本面付け処理モジュールと、
前記第１の判定処理モジュールで印刷データの総ページ数がｎページ未満と判定された場合にはｎページ未満の表紙への第２の面付け処理を行う第２の面付け処理モジュールと、
を備えることを特徴とする請求項１１に記載の記憶媒体。
【請求項１３】
表紙のどの部分に印刷を行うかの第２の判定処理モジュールを更に備えることを特徴とする請求項１２に記載の記憶媒体。
【請求項１４】
前記表紙面付け処理モジュールは、１、２ページを表紙の表、裏にそれぞれ面付けする処理モジュールと、
最終ページ、最終ページ−１を裏表紙の表、裏にそれぞれ面付けする処理モジュールと
を更に備えることを特徴とする請求項１１に記載の記憶媒体。
【請求項１５】
前記の表紙のどの部分に印刷を行うかの第２の判定処理モジュールは、
前記表紙の表に印刷するかを判定する第３の判定処理モジュールと、
前記表紙の裏に印刷するかを判定する第４の判定処理モジュールと、
前記裏表紙の表に印刷するかを判定する第５の判定処理モジュールと、
前記裏表紙の裏に印刷するかを判定する第６の判定処理モジュールと
を更に備えることを特徴とする請求項１３に記載の記憶媒体。
【手続補正２】
【補正対象書類名】明細書
【補正対象項目名】０００８
【補正方法】変更
【補正の内容】
【０００８】
すなわち、文書データに対して製本設定を行う情報処理装置は、
製本印刷を行うための製本設定と、製本の表紙に印刷を行うこと示す表紙印刷設定を設定する設定手段と、
前記設定手段で製本設定と表紙印刷設定が設定されている場合に、複数ページの文書データから表紙に面付けすべきページ数を判定する表紙ページ判定手段と、
前記表紙ページ判定手段により判定されるページ数の文書データに基づいて、表紙への面付け処理を行う表紙面付け処理手段と、
前記表紙面付け処理手段で表紙に面付けされていない残りのページ数の文書データに基づいて、本文用紙への面付け処理を行う製本面付け処理手段とを備え、
前記製本面付け処理手段は、前記設定手段により表紙印刷設定が設定されていない場合に、すべてのページの文書データに基づいて、前記本文用紙への面付け処理を行うことを特徴とする。
【手続補正３】
【補正対象書類名】明細書
【補正対象項目名】０００９
【補正方法】変更
【補正の内容】
【０００９】
また、文書データに対して製本設定を行うための情報処理方法は、
製本印刷を行うための製本設定と、製本の表紙に印刷を行うこと示す表紙印刷設定を設定する設定工程と、
前記設定工程で製本設定と表紙印刷設定が設定されている場合に、複数ページの文書データから表紙に面付けすべきページ数を判定する表紙ページ判定工程と、
前記表紙ページ判定工程により判定されるページ数の文書データに基づいて、表紙への面付け処理を行う表紙面付け処理工程と、
前記表紙面付け処理工程で表紙に面付けされていない残りのページ数の文書データに基づいて、本文用紙への面付け処理を行う製本面付け処理工程とを備え、
前記製本面付け処理工程は、前記設定工程により表紙印刷設定が設定されていない場合に、すべてのページの文書データに基づいて、前記本文用紙への面付け処理を行うことを特徴とする。
【手続補正４】
【補正対象書類名】明細書
【補正対象項目名】００１０
【補正方法】変更
【補正の内容】
【００１０】
また、文書データに対して製本設定を行うための情報処理方法をコンピュータに実行させるプログラムモジュールを格納したコンピュータ可読の記憶媒体であって、該プログラムモジュールは、
製本印刷を行うための製本設定と、製本の表紙に印刷を行うこと示す表紙印刷設定を設定する設定モジュールと、
前記設定モジュールで製本設定と表紙印刷設定が設定されている場合に、複数ページの文書データから表紙に面付けすべきページ数を判定する表紙ページ判定モジュールと、
前記表紙ページ判定モジュールにより判定されるページ数の文書データに基づいて、表紙への面付け処理を行う表紙面付け処理モジュールと、
前記表紙面付け処理モジュールで表紙に面付けされていない残りのページ数の文書データに基づいて、本文用紙への面付け処理を行う製本面付け処理モジュールとを備え、
前記製本面付け処理モジュールは、前記設定モジュールにより表紙印刷設定が設定されていない場合に、すべてのページの文書データに基づいて、前記本文用紙への面付け処理を行うことを特徴とする。